(57)【要約】      （修正有）【課題】部材の破損や不具合を生じさせることなく、用紙の自動両面印刷を行う。【解決手段】画像形成装置１００は、二次転写ローラー９と、定着部材５１、５２と、搬送経路Ｒ１の切換ゲート３０と合流点Ａ１とを繋ぐ引き込み経路Ｒ２１と、引き込み経路Ｒ２１の第２分岐点Ａ２と搬送経路Ｒ１の再給紙点Ａ３とを繋ぐ再給紙経路Ｒ２２とを有する反転搬送経路Ｒ２と、長尺紙を搬送する用紙搬送部２０と、長尺紙を引き込み経路Ｒ２１の第２分岐点Ａ２よりも合流点Ａ１側に引き込む動作と、逆方向に搬送して反転された長尺紙を搬送経路Ｒ１に再給紙する動作とを行う制御部１１とを備え、制御部１１は、二次転写ローラー９、定着部材５１、５２及び搬送ローラー対２５〜２７のうち少なくとも正方向のみに回転駆動し引き込み動作完了時に長尺紙が到達しているものを再給紙動作前に離間させる。【選択図】図１
2019020498.tif 000002
【特許請求の範囲】
【請求項１】
搬送経路を搬送される用紙に対して画像形成を行う画像形成装置であって、
前記搬送経路に設けられ、用紙に対してトナー像を転写する一対の転写部材と、
前記搬送経路に設けられ、用紙上に転写されたトナー像を定着させて画像を形成する一対の定着部材と、
前記搬送経路の前記定着部材よりも下流側の第１分岐点と前記搬送経路の前記転写部材よりも上流側の合流点とを繋ぐ引き込み経路と、前記引き込み経路の第２分岐点と前記搬送経路の前記転写部材よりも上流側の再給紙点とを繋ぐ再給紙経路と、を有する反転搬送経路と、
前記搬送経路及び前記反転搬送経路にそれぞれ設けられる複数の搬送ローラー対により用紙を搬送する搬送機構と、
前記搬送機構により、片面に画像が形成された用紙を用紙後端が前記引き込み経路の前記第２分岐点よりも前記合流点側に到達するまで引き込む引き込み動作と、前記引き込み動作後に、用紙を逆方向に搬送して前記再給紙経路を介して表裏が反転された用紙を前記再給紙点から前記搬送経路に再給紙する再給紙動作とを行う制御部と、
を備え、
前記制御部は、前記転写部材、前記定着部材、及び前記搬送経路の前記合流点よりも下流側に設けられる前記搬送ローラー対のうち、少なくとも、正方向のみに回転駆動するものであって前記引き込み動作完了時に用紙が到達しているものを、前記再給紙動作前に離間させることを特徴とする画像形成装置。
【請求項２】
用紙の前記定着部材への突入をガイドするガイド部材を備え、
前記制御部は、前記定着部材を離間させているときには、用紙が前記定着部材に接触しないように、前記ガイド部材により用紙を支持することを特徴とする請求項１に記載の画像形成装置。
【請求項３】
前記制御部は、前記搬送経路の前記合流点よりも下流側に設けられる前記搬送ローラー対のうち、正方向及び逆方向に回転駆動できるものであって前記引き込み動作完了時に用紙が到達しているものを、前記再給紙動作時に逆回転駆動させて用紙を搬送することを特徴とする請求項１又は２に記載の画像形成装置。
【請求項４】
前記制御部は、用紙のサイズ、紙種及び坪量が所定条件を満たす場合には、前記引き込み動作前に、前記転写部材を離間させることを特徴とする請求項１から３のいずれか一項に記載の画像形成装置。
【請求項５】
前記制御部は、前記転写部材、前記定着部材、及び前記搬送経路の前記合流点よりも下流側に設けられる前記搬送ローラー対のうち、少なくとも、正方向のみに回転駆動するものであって前記引き込み動作完了時に用紙が到達しているものを、前記引き込み動作完了後、前記再給紙動作前に離間させることを特徴とする請求項１から３のいずれか一項に記載の画像形成装置。
【請求項６】
前記転写部材、前記定着部材、及び前記搬送経路の前記合流点よりも下流側に設けられる前記搬送ローラー対のそれぞれにおける用紙の有無を検出する検出部を備え、
前記制御部は、前記引き込み動作時に、前記転写部材、前記定着部材、及び前記搬送経路の前記合流点よりも下流側に設けられる搬送ローラー対のうち、前記検出部により用紙が到達したことが検出されたものを順次離間させることを特徴とする請求項１から３のいずれか一項に記載の画像形成装置。
【請求項７】
前記制御部は、用紙のサイズに基づき、前記転写部材、前記定着部材、及び前記搬送経路の前記合流点よりも下流側に設けられる前記搬送ローラー対のうち、前記引き込み動作完了時に用紙が到達しているものを、用紙の片面に画像形成を行った後に離間させることを特徴とする請求項１から３のいずれか一項に記載の画像形成装置。
【発明の詳細な説明】
【技術分野】
【０００１】
本発明は、画像形成装置に関する。
【背景技術】
【０００２】
近年、プリンターやスキャナー、コピー機、ファックス等の機能を兼ねた多機能な画像形成装置が広く使用されているが、そのような画像形成装置において、装置構成に対して相対的に用紙長の長い用紙に対する自動両面印刷の要求が高まっている。
【０００３】
例えば、搬送経路を通って片面に画像が形成された定着処理後の用紙を、画像形成装置の上下方向において装置下部まで延在する引き込み経路に引き込んだ後、引き込み経路に設けられる反転ローラー対を逆回転させて、再給紙経路を介して上記搬送経路に再給紙する技術が提案されている（例えば、特許文献１参照）。このように、用紙が引き込まれる引き込み経路の距離を長く取ることで、相対的に用紙長の長い用紙の表裏の反転を達成し、両面印刷を可能としている。
【先行技術文献】
【特許文献】
【０００４】
【特許文献１】特開平１１−１３９６４６号公報
【発明の概要】
【発明が解決しようとする課題】
【０００５】
しかしながら、上記従来の技術によれば、用紙が引き込み経路の複数ユニットに跨がった状態でジャムが発生すると、ジャム処理のためのユニット開放動作により用紙が裂けてしまうという問題がある。これを回避するために、機内において引き込み経路を相対的に広く取ることで、用紙を破損させることなくジャム処理を行えるようにすることが考えられるが、そのような構成とすると筐体の剛性が確保できず、装置の耐久性が低下してしまうおそれがある。
【０００６】
これに対し、引き込み経路を独立して設けるのではなく、引き込み経路の引き込み方向奥側を搬送経路に接続させるように構成することで、引き込み経路の距離を確保し、用紙の表裏の反転を達成し得ると考えられる。しかしながら、このような構成においては、用紙の用紙長によっては、用紙の引き込み時に用紙先端が搬送経路上の画像形成部や定着装置に到達してしまう。画像形成部や定着装置等は逆回転駆動可能に構成されていないため、そのような状態で再給紙動作が開始されると、画像形成部や定着装置が逆方向に回転させられて、破損したり不具合が生じたりするという問題がある。
【０００７】
そこで、本発明は、部材の破損や不具合を生じさせることなく、用紙の自動両面印刷を行うことができる画像形成装置を提供することを目的としている。
【課題を解決するための手段】
【０００８】
以上の課題を解決するため、請求項１に記載の発明は、画像形成装置であって、
搬送経路を搬送される用紙に対して画像形成を行う画像形成装置であって、
前記搬送経路に設けられ、用紙に対してトナー像を転写する一対の転写部材と、
前記搬送経路に設けられ、用紙上に転写されたトナー像を定着させて画像を形成する一対の定着部材と、
前記搬送経路の前記定着部材よりも下流側の第１分岐点と前記搬送経路の前記転写部材よりも上流側の合流点とを繋ぐ引き込み経路と、前記引き込み経路の第２分岐点と前記搬送経路の前記転写部材よりも上流側の再給紙点とを繋ぐ再給紙経路と、を有する反転搬送経路と、
前記搬送経路及び前記反転搬送経路にそれぞれ設けられる複数の搬送ローラー対により用紙を搬送する搬送機構と、
前記搬送機構により、片面に画像が形成された用紙を用紙後端が前記引き込み経路の前記第２分岐点よりも前記合流点側に到達するまで引き込む引き込み動作と、前記引き込み動作後に、用紙を逆方向に搬送して前記再給紙経路を介して表裏が反転された用紙を前記再給紙点から前記搬送経路に再給紙する再給紙動作とを行う制御部と、
を備え、
前記制御部は、前記転写部材、前記定着部材、及び前記搬送経路の前記合流点よりも下流側に設けられる前記搬送ローラー対のうち、少なくとも、正方向のみに回転駆動するものであって前記引き込み動作完了時に用紙が到達しているものを、前記再給紙動作前に離間させることを特徴とする。
【０００９】
請求項２に記載の発明は、請求項１に記載の画像形成装置において、
用紙の前記定着部材への突入をガイドするガイド部材を備え、
前記制御部は、前記定着部材を離間させているときには、用紙が前記定着部材に接触しないように、前記ガイド部材により用紙を支持することを特徴とする。
【００１０】
請求項３に記載の発明は、請求項１又は２に記載の画像形成装置において、
前記制御部は、前記搬送経路の前記合流点よりも下流側に設けられる前記搬送ローラー対のうち、正方向及び逆方向に回転駆動できるものであって前記引き込み動作完了時に用紙が到達しているものを、前記再給紙動作時に逆回転駆動させて用紙を搬送することを特徴とする。
【００１１】
請求項４に記載の発明は、請求項１から３のいずれか一項に記載の画像形成装置において、
前記制御部は、用紙のサイズ、紙種及び坪量が所定条件を満たす場合には、前記引き込み動作前に、前記転写部材を離間させることを特徴とする。
【００１２】
請求項５に記載の発明は、請求項１から３のいずれか一項に記載の画像形成装置において、
前記制御部は、前記転写部材、前記定着部材、及び前記搬送経路の前記合流点よりも下流側に設けられる前記搬送ローラー対のうち、少なくとも、正方向のみに回転駆動するものであって前記引き込み動作完了時に用紙が到達しているものを、前記引き込み動作完了後、前記再給紙動作前に離間させることを特徴とする。
【００１３】
請求項６に記載の発明は、請求項１から３のいずれか一項に記載の画像形成装置において、
前記転写部材、前記定着部材、及び前記搬送経路の前記合流点よりも下流側に設けられる前記搬送ローラー対のそれぞれにおける用紙の有無を検出する検出部を備え、
前記制御部は、前記引き込み動作時に、前記転写部材、前記定着部材、及び前記搬送経路の前記合流点よりも下流側に設けられる搬送ローラー対のうち、前記検出部により用紙が到達したことが検出されたものを順次離間させることを特徴とする。
【００１４】
請求項７に記載の発明は、請求項１から３のいずれか一項に記載の画像形成装置において、
前記制御部は、用紙のサイズに基づき、前記転写部材、前記定着部材、及び前記搬送経路の前記合流点よりも下流側に設けられる前記搬送ローラー対のうち、前記引き込み動作完了時に用紙が到達しているものを、用紙の片面に画像形成を行った後に離間させることを特徴とする。
【発明の効果】
【００１５】
本発明によれば、部材の破損や不具合を生じさせることなく、用紙の自動両面印刷を行うことができる画像形成装置を提供することができる。
【図面の簡単な説明】
【００１６】
【図１】第１の実施形態に係る画像形成装置を模式的に示す構成図である。
【図２】定着装置を構成する部材の動作を示す説明図である。
【図３】引き込み動作時の長尺紙の位置を示す概略図である。
【図４】引き込み動作完了時の長尺紙の位置を示す概略図である。
【図５】再給紙動作時の長尺紙の位置を示す概略図である。
【図６】図１の画像形成装置の制御系の構成を概略的に示すブロック図である。
【図７】第１の実施形態において図６の制御部により実行される長尺紙反転制御処理を示すフローチャートである。
【図８】第２の実施形態において図６の制御部により実行される長尺紙反転制御処理を示すフローチャートである。
【図９】第３の実施形態において図６の制御部により実行される長尺紙反転制御処理を示すフローチャートである。
【発明を実施するための形態】
【００１７】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１８】
《第１の実施形態》
［画像形成装置１００の構成］
まず、第１の実施形態における画像形成装置１００の構成について説明する。
図１は、本実施形態に係る画像形成装置１００を模式的に示す構成図である。この画像形成装置１００は、例えば複写機といった電子写真方式の画像形成装置１００であり、複数の感光体を一本の中間転写ベルトに対面させて縦方向に配列することによりフルカラーの画像を形成する、いわゆる、タンデム型カラー画像形成装置である。また、画像形成装置１００は、規格サイズの用紙である定型紙Ｐ２のみならず、当該定型紙Ｐ２よりも用紙長の長い用紙である長尺紙Ｐ１に対しても画像形成を行うことができる。定型紙Ｐ２は、後述するように給紙トレイ２１等に収容され、長尺紙Ｐ１は、画像形成装置１００に外部接続される長尺紙トレイ４１や手差しトレイ４２から装置内に給紙される。以下の説明においては、主に、長尺紙Ｐ１に対する画像形成について説明するが、定型紙Ｐ２に対しても同様にして画像形成可能である。
【００１９】
画像形成装置１００は、原稿読取装置ＳＣ、画像形成部１０、定着装置５０、制御部１１を主体に構成され、これらが一つの筐体内に収められている。
【００２０】
原稿読取装置ＳＣは、走査露光装置の光学系により原稿の画像を走査露光し、その反射光をラインイメージセンサーにより読み取り、これにより、画像信号を得る。この画像信号は、Ａ／Ｄ変換、シェーディング補正、圧縮等の処理が施された後、画像データとして制御部１１に入力される。なお、制御部１１に入力される画像データとしては、原稿読取装置ＳＣで読み取ったものに限らず、例えば、通信部１３により画像形成装置１００に接続されたパーソナルコンピューターや他の画像形成装置から受信したものであっても良い。
【００２１】
画像形成部１０は、４組の画像形成ユニット１０Ｙ、１０Ｍ、１０Ｃ、１０Ｋ、中間転写ベルト６、二次転写ローラー９等を備えて構成されている。画像形成ユニット１０Ｙ、１０Ｍ、１０Ｃ、１０Ｋは、イエロー（Ｙ）の画像を形成する画像形成ユニット１０Ｙ、マゼンタ（Ｍ）の画像を形成する画像形成ユニット１０Ｍ、シアン（Ｃ）の画像を形成する画像形成ユニット１０Ｃ、ブラック（Ｋ）の画像を形成する画像形成ユニット１０Ｋで構成されている。
【００２２】
画像形成ユニット１０Ｙは、感光体ドラム１Ｙ、その周辺に配置された帯電部２Ｙ、光書込部３Ｙ、現像装置４Ｙ及びドラムクリーナー５Ｙで構成されている。同様に、画像形成ユニット１０Ｍ、１０Ｃ、１０Ｋは、感光体ドラム１Ｍ、１Ｃ、１Ｋ、その周辺に配置された帯電部２Ｍ、２Ｃ、２Ｋ、光書込部３Ｍ、３Ｃ、３Ｋ、現像装置４Ｍ、４Ｃ、４Ｋ及びドラムクリーナー５Ｍ、５Ｃ、５Ｋで構成されている。
【００２３】
感光体ドラム１Ｙ〜１Ｋは、帯電部２Ｙ〜２Ｋによりその表面が一様に帯電させられており、光書込部３Ｙ〜３Ｋによる走査露光により、感光体ドラム１Ｙ〜１Ｋには潜像が形成される。さらに、現像装置４Ｙ〜４Ｋは、トナーで現像することによって感光体ドラム１Ｙ〜１Ｋ上の潜像を顕像化する。これにより、感光体ドラム１Ｙ〜１Ｋ上には、イエロー、マゼンタ、シアン及びブラックのいずれかに対応する所定色のトナー画像が形成される。感光体ドラム１Ｙ〜１Ｋ上に形成されたトナー画像は、１次転写ローラー７Ｙ、７Ｍ、７Ｃ、７Ｋにより、回転する中間転写ベルト６上の所定位置へと逐次転写される。
【００２４】
中間転写ベルト６上に転写された各色よりなるトナー画像は、後述する用紙搬送部（搬送機構）２０により所定のタイミングで搬送される長尺紙Ｐ１に対して、二次転写ローラー９によって転写される。この二次転写ローラー９は、中間転写ベルト６と圧接して配置されることによりニップ部（以下「転写ニップ部」という）を形成する圧接部材であり、制御部１１の制御下で圧接状態を離間状態に切り換え可能に構成されている。したがって、本実施形態においては、中間転写ベルト６及び二次転写ローラー９が、一対の転写部材を構成する。
【００２５】
次に、図１及び図２を参照して定着装置５０について説明する。図２は、定着装置５０を構成する部材の動作を示す概略図である。
【００２６】
定着装置５０は、トナー画像が転写された長尺紙Ｐ１、すなわち、転写ニップ部から送り出された長尺紙Ｐ１に定着処理を施す装置であり、例えば、一対の定着部材５１、５２と、当該定着部材５１、５２の一方又は双方を加熱するヒーター５３と、ガイド部材５４とで構成されている。この定着装置５０は、長尺紙Ｐ１の搬送過程において、一対の定着部材５１、５２による加圧と定着部材５１、５２の有する熱との作用を通じて、長尺紙Ｐ１へのトナー画像の定着を行う。また、定着部材５１と定着部材５２とは圧接して配置されることによりニップ部（以下「定着ニップ部」という）を形成する圧接部材であり、制御部１１の制御下で圧接状態を離間状態に切り換え可能に構成されている。
なお、定着部材５１、５２は、一対のローラーで構成する以外にも、ベルト同士の組み合わせや、ベルト及びローラーの組み合わせといったように、一対の回転部材からなる構成を広く採用することができる。
【００２７】
また、ガイド部材５４は、図２（ａ）に示すように、長尺紙Ｐ１を支持して、長尺紙Ｐ１の定着ニップ部への突入をガイドする。また、ガイド部材５４は、制御部１１の制御下で移動可能に構成され、定着部材５１、５２が離間状態に切り換えられるときに、図２（ｂ）中の矢印方向に移動する。これにより、ガイド部材５４は、長尺紙Ｐ１を支持する位置に移動され、定着部材５１、５２の離間中に長尺紙Ｐ１と定着部材５１、５２とが接触することを防止できる。
【００２８】
定着装置５０により定着処理が施された長尺紙Ｐ１は、排紙ローラー２８により、筐体の外部側面に取り付けられた排紙トレイ２９に排出される。
【００２９】
用紙搬送部２０は、図１に示すように、搬送経路Ｒ１、及び引き込み経路Ｒ２１と再給紙経路Ｒ２２とからなる反転搬送経路Ｒ２に沿って、長尺紙Ｐ１又は定型紙Ｐ２を搬送する。搬送経路Ｒ１は、長尺紙トレイ４１若しくは手差しトレイ４２又は給紙トレイ２１から、画像形成部１０の転写ニップ部及び定着ニップ部を通って排紙トレイ２９へ至る経路である。長尺紙Ｐ１は、画像形成装置１００に接続された長尺紙トレイ４１に収容されるか、手差しトレイ４２上に載置されており、当該長尺紙トレイ４１又は手差しトレイ４２から画像形成装置１００内へ供給されて、搬送経路Ｒ１へと送り出される。また、定型紙Ｐ２は、給紙トレイ２１に収容されており、給紙部２２により取り込まれ、搬送経路Ｒ１へと送り出される。
【００３０】
この搬送経路Ｒ１において、転写ニップ部よりも上流側には、長尺紙Ｐ１を搬送する複数の搬送ローラー対２３〜２７が設けられている。個々の搬送ローラー対２３〜２７は、圧接された一対のローラーによって構成されており、電動モーターを主体とする駆動機構を通じて少なくとも一方のローラーが正方向に回転駆動することにより長尺紙Ｐ１を搬送する。ここで、正方向とは、長尺紙Ｐ１を下流側に搬送する回転方向であり、逆方向とは、正方向と反対の回転方向である。また、個々の搬送ローラー対２３〜２７を構成する一対のローラーは、制御部１１の制御下で、ローラー間の状態を圧接状態と離間状態とで切り換え可能に構成されている。
なお、搬送手段は、一対のローラーで構成する以外にも、ベルト同士の組み合わせや、ベルト及びローラーの組み合わせといったように、一対の回転部材からなる構成を広く採用することができる。
【００３１】
また、搬送ローラー対２６は、ループローラー対として機能し、搬送ローラー対２７は、レジストローラー対として機能する。すなわち、搬送経路Ｒ１において、給紙される長尺紙Ｐ１は、上流側から下流側に設けられた複数の搬送ローラー対２３〜２６により順次搬送されて進行する。長尺紙Ｐ１の先端が搬送ローラー対２７へと近づくと、搬送ローラー対２６等によって搬送される長尺紙Ｐ１は、回転停止状態の搬送ローラー対２７に突き当てられ、そして、搬送ローラー対２６が所定時間だけ回転を継続することで、長尺紙Ｐ１にループが形成される。このループ形成の作用により、長尺紙Ｐ１の先端の曲がりが矯正される。次に、中間転写ベルト６が担持するトナー画像と同期するように所定のタイミングで搬送ローラー対２７が回転を開始することで、長尺紙Ｐ１が転写ニップ部へ搬送される。
【００３２】
搬送経路Ｒ１には、検出部ＳＥが設けられ、検出部ＳＥは位置検知センサーＳＥ１〜ＳＥ５で構成される。これらの位置検知センサーＳＥ１〜ＳＥ５における検出結果に基づいて、制御部１１により用紙搬送部２０の動作が制御される。
【００３３】
位置検知センサーＳＥ１〜ＳＥ５は、搬送経路Ｒ１において搬送ローラー対２５〜２７、二次転写ローラー９及び定着部材５１、５２の近傍にそれぞれ配置されており、位置検知センサーＳＥ１〜ＳＥ５の検出位置（それぞれ搬送ローラー対２５〜２７、二次転写ローラー９及び定着部材５１、５２近傍の位置）への長尺紙Ｐ１の先端の到達を検出する。これら位置検知センサーＳＥ１〜ＳＥ５の検出結果は、搬送ローラー対２５〜２７、二次転写ローラー９及び定着部材５１、５２の離間タイミングの決定等に用いられる。
【００３４】
ここで、図３〜図５を参照して、長尺紙Ｐ１に対して両面印刷を行う際の長尺紙Ｐ１の動きについて説明する。図３は、片面に画像形成が行われた後の長尺紙Ｐ１が引き込み経路Ｒ２１に引き込まれる時の状態を示し、図４は、長尺紙Ｐ１の引き込みが完了した時の状態を示し、図５は、反転された長尺紙Ｐ１が搬送経路Ｒ１に再給紙される時の状態を示している。なお、図３〜図５において、長尺紙Ｐ１の位置を、搬送経路Ｒ１又は反転搬送経路Ｒ２上の太線部分で示す。
【００３５】
長尺紙Ｐ１の裏面にも画像形成を行う場合、表面に対する画像形成を終えた長尺紙Ｐ１は、図３に示すように、切換ゲート（第１分岐点）３０により、引き込み経路Ｒ２１内へ搬送される。引き込み経路Ｒ２１は、搬送経路Ｒ１の定着装置５０よりも下流側の切換ゲート３０と、搬送経路Ｒ１の二次転写ローラー９よりも上流側の合流点Ａ１とを繋ぐ経路である。また、この引き込み経路Ｒ２１は、第２分岐点Ａ２で再給紙経路Ｒ２２に分岐する。再給紙経路Ｒ２２は、引き込み経路Ｒ２１の第２分岐点Ａ２と、搬送経路Ｒ１の二次転写ローラー９よりも上流側の再給紙点Ａ３とを繋ぐ経路である。
【００３６】
引き込み経路Ｒ２１において第２分岐点Ａ２よりも切換ゲート３０側には、搬送ローラー対３１、３２が設けられ、引き込み経路Ｒ２１において第２分岐点Ａ２よりも合流点Ａ１側には、搬送ローラー対３３、３４が設けられている。搬送ローラー対３１、３２は、上記搬送ローラー対２３〜２７と同様に構成されている。また、搬送ローラー対３３、３４は、上記搬送ローラー対２３〜２７と略同様に構成されて、さらに逆方向にも回転駆動可能に構成されている。切換ゲート３０により引き込み経路Ｒ２１内へ搬送される長尺紙Ｐ１は、これら搬送ローラー対３１〜３４により図３中矢印方向に搬送されて、合流点Ａ１側に引き込まれる（引き込み動作）。そして、第２分岐点Ａ２に設けられるセンサー（図示略）の検出結果に基づき、図４に示すように、長尺紙Ｐ１後端が第２分岐点Ａ２よりも奥側（すなわち合流点Ａ１側）に到達した時点で、長尺紙Ｐ１の搬送を停止し、引き込み動作を完了する。このとき長尺紙Ｐ１の用紙長によっては、図４に示すように、当該長尺紙Ｐ１先端が、合流点Ａ１から搬送経路Ｒ１内に進入し、二次転写ローラー９や定着装置５０に達する場合がある。
【００３７】
上記引き込み動作完了後、搬送ローラー対３３、３４は逆回転駆動し、引き込み経路Ｒ２１内に引き込んだ長尺紙Ｐ１を逆送し、第２分岐点Ａ２から再給紙経路Ｒ２２内へ搬送する（再給紙動作）。再給紙経路Ｒ２２には、搬送ローラー対３５〜３９が設けられている。これら搬送ローラー対３５〜３９は、上記搬送ローラー対２３〜２７と同様に構成されている。再給紙経路Ｒ２２内に搬送された長尺紙Ｐ１は、図５に示すように、搬送ローラー対３５〜３９により第２分岐点Ａ２から再給紙点Ａ３に向かって図５中矢印方向に搬送され、再給紙点Ａ３から搬送経路Ｒ１内に搬送される。これにより、長尺紙Ｐ１の反転が達成される。
なお、排紙ローラー２８、切換ゲート３０、搬送ローラー対３１〜３９も前述した用紙搬送部２０を構成する。
【００３８】
図６は、本実施形態に係る画像形成装置１００の制御系の構成を概略的に示すブロック図である。
制御部１１は、図６に示すように、記憶部１２、通信部１３、操作部１４、原稿読取装置ＳＣ、画像形成部１０、用紙搬送部２０、定着装置５０及び位置検知センサーＳＥ１〜ＳＥ５に接続されている。制御部１１は、ＣＰＵ（Central Processing Unit）、ＲＡＭ（Random Access Memory）等により構成されている。制御部１１のＣＰＵは、記憶部１２に記憶されているシステムプログラムや各種処理プログラムを読み出してＲＡＭに展開し、展開されたプログラムに従って、画像形成装置１００各部の動作を集中制御する。例えば、制御部１１は、操作部１４によりジョブ実行指令が入力されると、ジョブを実行し、原稿読取装置ＳＣや通信部１３により入力される画像データに基づいて長尺紙Ｐ１にトナー画像を形成させる制御を行う。また、制御部１１は、操作部１４によりジョブ実行指令が入力されると、後述する長尺紙反転制御処理を実行し、ジョブ実行中の搬送ローラー対２５〜２７、二次転写ローラー９及び定着部材５１、５２の圧接・離間制御を行う。
【００３９】
記憶部１２は、不揮発性の半導体メモリーやＨＤＤ（Hard Disk Drive）等により構成され、制御部１１で実行される各種プログラムの他、各部で必要なパラメータやデータ等を記憶している。
【００４０】
通信部１３は、ＮＩＣ（Network Interface Card）、ＭＯＤＥＭ（Modulator-DEModulator）、ＵＳＢ（Universal Serial Bus）等の各種インターフェースを備え、外部機器との接続を行う。
【００４１】
操作部１４は、ユーザーによって設定される種々の情報を制御部１１に出力する。操作部１４としては、例えば、ディスプレイ上に表示される情報に従い、入力操作を行うことが可能なタッチパネルを用いることができる。かかる操作部１４を通じて、ユーザーは、印刷条件、すなわち、長尺紙Ｐ１の種類（例えば、サイズ、紙種、坪量等）、使用する給紙トレイ、画像の濃度、倍率、両面印刷の有無などを設定することができる。また、ユーザーは、操作部１４を通じて、ジョブの実行指令や調整モードでの動作指示を入力することができる。また、制御部１１は、操作部１４を制御することにより、当該操作部１４を介してユーザーに種々のメッセージを表示することができる。
【００４２】
［画像形成装置１００の動作］
次に、第１の実施形態における画像形成装置１００の動作について説明する。
画像形成装置１００は、図７に示すようにして、長尺紙反転制御処理を行う。図７は、長尺紙反転制御処理の一例を示すフローチャートである。このフローチャートに示す処理は、ユーザーからのジョブの実行指令に応じて、制御部１１と記憶部１２に記憶されているプログラムとの協働によって実行される。
【００４３】
図７に示すように、ジョブが開始された後、制御部１１は、ユーザーによりあらかじめ入力された長尺紙Ｐ１のサイズや、原稿読取装置ＳＣや通信部１３により入力される画像データ等に基づき、長尺紙Ｐ１の片面に対する画像形成が終了したか否かを判定する（ステップＳ１０１）。
【００４４】
画像形成が終了していないと判定されると（ステップＳ１０１；ＮＯ）、制御部１１は、再びステップＳ１０１の処理を行う。
【００４５】
画像形成が終了したと判定されると（ステップＳ１０１；ＮＯ）、制御部１１は、引き込み動作を開始する（ステップＳ１０２）。具体的には、制御部１１は、切換ゲート３０により片面に画像が形成された長尺紙Ｐ１を引き込み経路Ｒ２１内に案内し、さらに、引き込み経路Ｒ２１に設けられた搬送ローラー対３１〜３４により長尺紙Ｐ１を合流点Ａ１に向かって搬送する。これにより、長尺紙Ｐ１は合流点Ａ１から搬送経路Ｒ１内に搬送され、搬送ローラー対２５〜２７、二次転写ローラー９、定着装置５０等に順次到達する。
【００４６】
次に、制御部１１は、位置検知センサーＳＥ１〜ＳＥ５の検出結果に基づき、搬送ローラー対２５〜２７、二次転写ローラー９及び定着部材５１、５２のうち、長尺紙Ｐ１の到達が検出された部材があるか否か判定する（ステップＳ１０３）。
【００４７】
長尺紙Ｐ１の到達が検出された部材があると判定されると（ステップＳ１０３；ＹＥＳ）、制御部１１は、長尺紙Ｐ１の到達が検出された部材を離間状態とする（ステップＳ１０４）。例えば、位置検知センサーＳＥ１、ＳＥ２が長尺紙Ｐ１を検出した場合には、制御部１１は、搬送ローラー対２５、２６を離間状態とする。また、例えば、位置検知センサーＳＥ１〜ＳＥ５の全てが長尺紙Ｐ１を検出した場合には、制御部１１は、搬送ローラー対２５〜２７、中間転写ベルト６及び二次転写ローラー９、並びに定着部材５１、５２をいずれも離間状態とする。また、制御部１１は、定着部材５１、５２を離間状態とする際には、長尺紙Ｐ１が定着部材５１、５２に接触しないようにガイド部材５４を移動させ、長尺紙Ｐ１を支持する。これにより、長尺紙Ｐ１の片面に形成された画像に画像不良が生じることを抑制できる。
【００４８】
長尺紙Ｐ１の到達が検出された部材がないと判定されると（ステップＳ１０３；ＮＯ）、制御部１１は、上記ステップＳ１０４の処理を省略する。
【００４９】
次に、制御部１１は、引き込み動作が完了したか否かを判定する（ステップＳ１０５）。具体的には、第２分岐点Ａ２に設けられる図示しないセンサーにより、長尺紙Ｐ１後端が第２分岐点Ａ２を越えて合流点Ａ１側に到達したか否かを検出し、制御部１１は、その検出結果に基づいて引き込み動作が完了したか否かを判定する。
【００５０】
引き込み動作が完了していないと判定されると（ステップＳ１０５；ＮＯ）、制御部１１は、再び上記ステップＳ１０３の処理を行う。
【００５１】
引き込み動作が完了したと判定されると（ステップＳ１０５；ＹＥＳ）、制御部１１は、再給紙動作を行う（ステップＳ１０６）。具体的には、制御部１１は、搬送ローラー対３３、３４を逆回転駆動させ、長尺紙Ｐ１を逆送し、第２分岐点Ａ２から再給紙経路Ｒ２２内に送り込む。そして、制御部１１は、再給紙経路Ｒ２２に設けられた搬送ローラー対３５〜３９により長尺紙Ｐ１を搬送し、再給紙点Ａ３から搬送経路Ｒ１内に搬送する。これにより、長尺紙Ｐ１の反転を達成する。
以上のようにして、長尺紙反転制御処理を行う。
【００５２】
なお、上記ステップＳ１０３の処理では、制御部１１が、搬送ローラー対２５〜２７、二次転写ローラー９及び定着部材５１、５２のうち、長尺紙Ｐ１の到達が検出された部材があるか否か判定するものとしたが、これに限られるものではない。例えば、搬送ローラー対２５〜２７が正方向及び逆方向に回転駆動可能に構成されている場合には、制御部１１は、二次転写ローラー９及び定着部材５１、５２のうち、長尺紙Ｐ１の到達が検出された部材があるか否かを判定するものとしても良い。また、この場合には、検出部ＳＥは、位置検知センサーＳＥ１〜ＳＥ３を有していなくても良い。
【００５３】
［本実施形態の技術的効果］
以上、第１の実施形態によれば、搬送経路Ｒ１を搬送される用紙に対して画像形成を行う画像形成装置１００が、搬送経路Ｒ１に設けられ、用紙に対してトナー像を転写する中間転写ベルト６及び二次転写ローラー９と、搬送経路Ｒ１に設けられ、用紙上に転写されたトナー像を定着させて画像を形成する一対の定着部材５１、５２と、搬送経路Ｒ１の定着部材５１、５２よりも下流側の切換ゲート３０と搬送経路Ｒ１の二次転写ローラー９よりも上流側の合流点Ａ１とを繋ぐ引き込み経路Ｒ２１と、引き込み経路Ｒ２１の第２分岐点Ａ２と搬送経路Ｒ１の二次転写ローラー９よりも上流側の再給紙点Ａ３とを繋ぐ再給紙経路Ｒ２２と、を有する反転搬送経路Ｒ２と、搬送経路Ｒ１及び反転搬送経路Ｒ２にそれぞれ設けられる複数の搬送ローラー対２３〜２７、３１〜３９により用紙を搬送する用紙搬送部２０と、用紙搬送部２０により、片面に画像が形成された用紙を用紙後端が引き込み経路Ｒ２１の第２分岐点Ａ２よりも合流点Ａ１側に到達するまで引き込む引き込み動作と、引き込み動作後に、用紙を逆方向に搬送して再給紙経路Ｒ２２を介して表裏が反転された用紙を再給紙点Ａ３から搬送経路Ｒ１に再給紙する再給紙動作とを行う制御部１１と、を備え、制御部１１が、中間転写ベルト６及び二次転写ローラー９、定着部材５１、５２、並びに搬送経路Ｒ１の合流点Ａ１よりも下流側に設けられる搬送ローラー対２５〜２７のうち、少なくとも、正方向のみに回転駆動するものであって引き込み動作完了時に用紙が到達しているものを、再給紙動作前に離間させるので、画像形成装置１００の装置構成に対して相対的に用紙長の長い用紙の自動両面印刷を行うことができる。また、引き込み動作により用紙が搬送経路Ｒ１上の逆回転駆動できない部材に到達しても、それらを離間させておくことで、再給紙動作によってそれらが逆回転させられることによる破損や不具合等の発生を抑制することができる。
【００５４】
また、用紙の定着部材５１、５２への突入をガイドするガイド部材５４を備え、制御部１１が、定着部材５１、５２を離間させているときには、用紙が定着部材５１、５２に接触しないように、ガイド部材５４により用紙を支持するので、片面に画像が形成された用紙が定着部材５１、５２に接触することを抑制し、それによる画像不良の発生を抑制することができる。
【００５５】
また、中間転写ベルト６及び二次転写ローラー９、定着部材５１、５２、並びに搬送経路Ｒ１の合流点Ａ１よりも下流側に設けられる搬送ローラー対２５〜２７のそれぞれにおける用紙の有無を検出する検出部ＳＥを備え、制御部１１が、引き込み動作時に、中間転写ベルト６及び二次転写ローラー９、定着部材５１、５２、並びに搬送経路Ｒ１の合流点Ａ１よりも下流側に設けられる搬送ローラー対２５〜２７のうち、検出部ＳＥにより用紙が到達したことが検出されたものを順次離間させるので、より確実に各構成部材の破損や不具合等の発生を抑制することができる。また、引き込み動作と同時に各部材を離間させるので、引き込まれた用紙が二次転写ローラー９や定着装置５０に接触することを防止でき、画像不良の発生をより確実に抑制することができる。
【００５６】
《第２の実施形態》
次に、第２の実施形態について説明する。以下に説明する以外の点は、上記第１の実施形態と同様に構成されているものとする。
【００５７】
第２の実施形態の画像形成装置１００は、図８に示すようにして長尺紙反転制御処理を行う点で、上記第１の実施形態と異なる。図８は、第２の実施形態に係る長尺紙反転制御処理の一例を示すフローチャートである。このフローチャートに示す処理は、ユーザーからのジョブの実行指令に応じて、制御部１１と記憶部１２に記憶されているプログラムとの協働によって実行される。
【００５８】
図８に示すように、ジョブが開始された後、制御部１１は、ユーザーによりあらかじめ入力された長尺紙Ｐ１のサイズや、原稿読取装置ＳＣや通信部１３により入力される画像データ等に基づき、長尺紙Ｐ１の片面に対する画像形成が終了したか否かを判定する（ステップＳ２０１）。
【００５９】
画像形成が終了していないと判定されると（ステップＳ２０１；ＮＯ）、制御部１１は、再びステップＳ２０１の処理を行う。
【００６０】
画像形成が終了したと判定されると（ステップＳ２０１；ＮＯ）、制御部１１は、ユーザーによりあらかじめ入力された長尺紙Ｐ１のサイズに基づき、搬送ローラー対２５〜２７、二次転写ローラー９及び定着部材５１、５２のうち、長尺紙Ｐ１に対する引き込み動作完了時に長尺紙Ｐ１が到達する部材を特定する（ステップＳ２０２）。
【００６１】
次に、制御部１１は、ステップＳ２０２の処理にて特定された部材を離間状態とする（ステップＳ２０３）。例えば、引き込み動作完了時に搬送ローラー対２５、２６に長尺紙Ｐ１が到達すると特定されると、制御部１１は、当該搬送ローラー対２５、２６を離間状態とする。また、例えば、引き込み動作完了時に搬送ローラー対２５〜２７、中間転写ベルト６及び二次転写ローラー９、並びに定着部材５１、５２に長尺紙Ｐ１が到達すると特定されると、制御部１１は、これら搬送ローラー対２５〜２７、二次転写ローラー９及び定着部材５１、５２をいずれも離間状態とする。また、制御部１１は、定着部材５１、５２を離間状態とする際には、長尺紙Ｐ１が定着部材５１、５２に接触しないようにガイド部材５４を移動させ、長尺紙Ｐ１を支持する。これにより、長尺紙Ｐ１の片面に形成された画像に画像不良が生じることを抑制できる。
【００６２】
次に、制御部１１は、引き込み動作を行い（ステップＳ２０４）、再給紙動作を行う（ステップＳ２０５）。
以上のようにして、長尺紙反転制御処理を行う。
【００６３】
なお、上記ステップＳ２０２の処理では、制御部１１が、搬送ローラー対２５〜２７、二次転写ローラー９及び定着部材５１、５２のうち、長尺紙Ｐ１に対する引き込み動作完了時に長尺紙Ｐ１が到達する部材を特定するものとしたが、これに限られるものではない。例えば、搬送ローラー対２５〜２７が正方向及び逆方向に回転駆動可能に構成されている場合には、制御部１１は、二次転写ローラー９及び定着部材５１、５２のうち、長尺紙Ｐ１に対する引き込み動作完了時に長尺紙Ｐ１が到達する部材を特定するものとしても良い。
【００６４】
以上、第２の実施形態によれば、上記第１の実施形態と同様、画像形成装置１００の装置構成に対して相対的に用紙長の長い用紙の自動両面印刷を行うことができる。
また、制御部１１が、用紙のサイズに基づき、中間転写ベルト６及び二次転写ローラー９、定着部材５１、５２、並びに搬送経路Ｒ１の合流点Ａ１よりも下流側に設けられる搬送ローラー対２５〜２７のうち、引き込み動作完了時に用紙が到達しているものを、用紙の片面に画像形成を行った後に離間させるので、引き込み動作を行う前に、それらの各部材を離間させておくことができる。よって、引き込み動作により用紙が搬送経路Ｒ１上の逆回転駆動できない部材に到達しても、それらを離間させておくことで、再給紙動作によってそれらが逆回転させられることによる破損や不具合等の発生を抑制することができる。また、引き込み動作前に各部材を離間させるので、引き込まれた用紙が二次転写ローラー９や定着装置５０に接触することを防止でき、画像不良の発生をより確実に抑制することができる。
【００６５】
《第３の実施形態》
次に、第３の実施形態について説明する。以下に説明する以外の点は、上記第１の実施形態と同様に構成されているものとする。
【００６６】
第３の実施形態の画像形成装置１００は、搬送ローラー対２５〜２７が正方向及び逆方向に回転駆動可能に構成されている点、及び図９に示すようにして長尺紙反転制御処理を行う点で、上記第１の実施形態と異なる。図９は、第３の実施形態に係る長尺紙反転制御処理の一例を示すフローチャートである。このフローチャートに示す処理は、ユーザーからのジョブの実行指令に応じて、制御部１１と記憶部１２に記憶されているプログラムとの協働によって実行される。
【００６７】
図９に示すように、ジョブが開始された後、制御部１１は、ユーザーによりあらかじめ入力された長尺紙Ｐ１のサイズや、原稿読取装置ＳＣや通信部１３により入力される画像データ等に基づき、長尺紙Ｐ１の片面に対する画像形成が終了したか否かを判定する（ステップＳ３０１）。
【００６８】
画像形成が終了していないと判定されると（ステップＳ３０１；ＮＯ）、制御部１１は、再びステップＳ３０１の処理を行う。
【００６９】
画像形成が終了したと判定されると（ステップＳ３０１；ＹＥＳ）、制御部１１は、ユーザーによりあらかじめ入力された長尺紙Ｐ１のサイズ、紙種及び坪量に基づき、それらが所定の条件を満たすか否かを判定する（ステップＳ３０２）。具体的には、長尺紙Ｐ１の用紙長が、引き込み動作完了時に長尺紙Ｐ１先端が二次転写ローラー９に到達する長さであり、かつ、長尺紙Ｐ１の紙種及び坪量が、引き込み動作時に二次転写ローラー９が圧接状態になくとも下流側へ搬送される程度の剛性である場合に、制御部１１は、条件を満たすと判定する。
【００７０】
長尺紙Ｐ１が所定の条件を満たすと判定されると（ステップＳ３０２；ＹＥＳ）、制御部１１は、中間転写ベルト６及び二次転写ローラー９を離間状態とする（ステップＳ３０３）。
ここで、片面に画像が形成され、引き込み動作により合流点Ａ１から搬送経路Ｒ１内に搬送される長尺紙Ｐ１は、定着装置５０を通過した直後であるため高温になっている。そのため、高温状態の長尺紙Ｐ１が、引き込み動作により二次転写ローラー９に到達する場合、二次転写ローラー９や中間転写ベルト６が温度上昇し、裏面に形成される画像に画像不良が発生するおそれがある。そのため、長尺紙Ｐ１が所定の条件を満たす場合には、引き込み動作を行う前に、中間転写ベルト６及び二次転写ローラー９を離間状態としておくことで、当該画像不良の発生を抑制することができる。
【００７１】
長尺紙Ｐ１が所定の条件を満たさないと判定されると（ステップＳ３０２；ＮＯ）、制御部１１は、上記ステップＳ３０３の処理を省略する。
【００７２】
次に、制御部１１は、引き込み動作を行う（ステップＳ３０４）。
【００７３】
次に、制御部１１は、中間転写ベルト６及び二次転写ローラー９、定着部材５１、５２を離間状態とするとともに、長尺紙Ｐ１が定着部材５１、５２に接触しないようにガイド部材５４を移動させる（ステップＳ３０５）。なお、上記ステップＳ３０３の処理が行われることにより、既に中間転写ベルト６及び二次転写ローラー９が離間状態にある場合には、定着部材５１、５２のみを離間状態とする。
【００７４】
次に、制御部１１は、再給紙動作を行う（ステップＳ３０６）。具体的には、制御部１１は、搬送ローラー対２５〜２７、３３、３４を逆回転駆動させ、長尺紙Ｐ１を逆送し、第２分岐点Ａ２から再給紙経路Ｒ２２内に送り込む。そして、制御部１１は、再給紙経路Ｒ２２に設けられた搬送ローラー対３５〜３９により長尺紙Ｐ１を搬送し、再給紙点Ａ３から搬送経路Ｒ１内に搬送する。これにより、長尺紙Ｐ１の反転を達成する。
以上のようにして、長尺紙反転制御処理を行う。
【００７５】
なお、上記長尺紙反転制御処理では、上記ステップＳ３０２、Ｓ３０３の処理を行うものとしたが、これに限られるものではなく、上記ステップＳ３０２、Ｓ３０３の処理を行わないものとしても良い。
【００７６】
また、上記長尺紙反転制御処理では、搬送ローラー対２５〜２７が正方向及び逆方向に回転駆動可能に構成され、上記ステップＳ３０５の処理で中間転写ベルト６及び二次転写ローラー９、並びに定着部材５１、５２を離間させ、上記ステップＳ３０６の処理で搬送ローラー対２５〜２７、３３、３４により長尺紙Ｐ１を逆送するものとしたが、これに限られるものではない。すなわち、搬送ローラー対２５〜２７が正方向のみに回転駆動可能に構成され、上記ステップＳ３０５の処理で搬送ローラー対２５〜２７、中間転写ベルト６及び二次転写ローラー９、並びに定着部材５１、５２を離間させ、上記ステップＳ３０６の処理で搬送ローラー対３３、３４により長尺紙Ｐ１を逆送するものとしても良い。
【００７７】
また、上記ステップＳ３０６の処理では、搬送ローラー対２５〜２７を逆回転駆動させるものとしたが、これに限られるものではない。例えば、制御部１１は、搬送ローラー対２５〜２７のうち、引き込み動作完了時に位置検知センサーＳＥ１〜ＳＥ３により長尺紙Ｐ１が検出されたものを逆回転駆動させるものとしても良い。
【００７８】
以上、第３の実施形態によれば、上記第１の実施形態と同様、画像形成装置１００の装置構成に対して相対的に用紙長の長い用紙の自動両面印刷を行うことができる。
また、制御部１１が、搬送経路Ｒ１の合流点Ａ１よりも下流側に設けられる搬送ローラー対２５〜２７のうち、正方向及び逆方向に回転駆動できるものであって引き込み動作完了時に用紙が到達しているものを、再給紙動作時に逆回転駆動させて用紙を搬送するので、用紙が厚紙であったり、坪量が大きかったりする場合に、より確実に再給紙動作を行うことができる。
【００７９】
また、制御部１１が、用紙のサイズ、紙種及び坪量が所定条件を満たす場合には、引き込み動作前に、中間転写ベルト６及び二次転写ローラー９を離間させるので、片面に画像形成されたことにより加熱された用紙が、中間転写ベルト６及び二次転写ローラー９に接触することで、それらが温度上昇することを抑制できる。これにより、中間転写ベルト６及び二次転写ローラー９の温度上昇による画像不良の発生を抑制することができる。
【００８０】
また、制御部１１が、中間転写ベルト６及び二次転写ローラー９、定着部材５１、５２、並びに搬送経路Ｒ１の合流点Ａ１よりも下流側に設けられる搬送ローラー対２５〜２７のうち、少なくとも、正方向のみに回転駆動するものであって引き込み動作完了時に用紙が到達しているものを、引き込み動作完了後、再給紙動作前に離間させる場合には、引き込み動作により用紙が搬送経路Ｒ１上の逆回転駆動できない部材に到達しても、それらを離間させておくことで、再給紙動作によってそれらが逆回転させられることによる破損や不具合等の発生を抑制することができる。また、引き込み動作完了後に各部材を離間させるので、引き込み動作時におけるジャムの発生をより確実に抑制し、用紙をより確実に搬送経路Ｒ１内に引き込むことができる。
【００８１】
《その他》
なお、上記実施の形態における記述は、本発明に係る画像形成装置の好適な一例を示すものであり、これに限定されるものではない。
【００８２】
例えば、上記した第１〜第３の実施形態においては、感光体ドラム１Ｙ〜１Ｋに形成された画像を中間転写ベルト６に一次転写し、中間転写ベルト６から二次転写ローラー９により用紙に画像を転写するカラーの画像形成装置を例に採り説明したが、本発明は、感光体ドラムから転写ローラーにより直接用紙に画像を転写するモノクロの画像形成装置においても適用可能である。
【００８３】
また、上記した第１〜第３の実施形態においては、定着装置５０がガイド部材５４を有して構成されているものとしたが、ガイド部材５４を有していなくても良い。この場合には、例えば、定着ニップ部を通過する用紙を定着部材５１、５２から効率良く分離させるために定着ニップ部にエアを吹き付けるエア分離ファン（図示略）が設けられ、定着部材５１、５２を離間させているときには、制御部１１がエア分離ファンによる送風量を調整し、用紙が定着部材５１、５２に接触しないようにするものとしても良い。
【００８４】
また、上記した第１〜第３の実施形態においては、ガイド部材５４が制御部１１の制御下で移動可能に構成されているものとしたが、これに限られるものではない。例えば、ガイド部材５４は移動せず、制御部１１の制御下でガイド部材５４から突起が突出することで、用紙を支持することができるように構成されていても良い。
【００８５】
また、上記した第１〜第３の実施形態においては、定型紙Ｐ２が給紙トレイ２１から給紙されるものとしたが、これに限られるものではなく、手差しトレイ４２から給紙されるものとしても良い。
【００８６】
また、上記した第１〜第３の実施形態においては、用紙搬送部２０が搬送経路Ｒ１又は反転搬送経路Ｒ２に設けられる搬送ローラー対２３〜２７、３１〜３９を有しているものとしたが、これに限られるものではない。すなわち、用紙搬送部２０が有する搬送ローラー対の数は、これよりも多くても少なくても良く、各搬送ローラー対同士の間の距離が、搬送される用紙の用紙長よりも短くなるように配置されていれば良い。
【００８７】
また、上記した第２及び第３の実施形態においては、画像形成装置１００が検出部ＳＥを備えているものとしたが、これに限られるものではなく、検出部ＳＥを備えていないものとしても良い。
【００８８】
また、上記した第１〜第３の実施形態においては、画像形成装置１００がそれぞれ異なる長尺紙反転制御処理を実行可能に構成されているものとしたが、これに限られるものではない。すなわち、一つの画像形成装置１００がこれらの長尺紙反転制御処理のうちいずれか２つ又は３つを実行可能に構成されているものとしても良い。その場合、いずれの長尺紙反転制御処理を実行するかは、ユーザーの操作入力に基づき決定されるものとしても良いし、制御部１１が装置内部の構成や用紙の種類等に応じて決定するものとしても良い。
【００８９】
また、上記した第１〜第３の実施形態においては、中間転写ベルト６及び二次転写ローラー９、定着部材５１、５２、並びに搬送ローラー対２５〜２７のいずれかを所定のタイミングで離間させるものとしたが、これに限られるものではない。例えば、搬送経路Ｒ１において定着装置５０よりも下流側に設けられる搬送ローラー対について、正方向のみに回転駆動するものであって引き込み動作完了時に用紙が到達するものであれば、当該搬送ローラー対をも離間させるものとしても良い。
【００９０】
また、上記の説明では、本発明に係るプログラムのコンピュータ読み取り可能な媒体として、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００９１】
その他、画像形成装置の細部構成及び細部動作に関しても、本発明の趣旨を逸脱することのない範囲で適宜変更可能である。
【符号の説明】
【００９２】
６      中間転写ベルト（転写部材）
９      二次転写ローラー（転写部材）
１１    制御部
２０    用紙搬送部（搬送機構）
２５〜２７、３１〜３９  搬送ローラー対
３０    切換ゲート（第１分岐点）
５１、５２  定着部材
５４    ガイド部材
１００  画像形成装置
Ａ１    合流点
Ａ２    第２分岐点
Ａ３    再給紙点
Ｒ１    搬送経路
Ｒ２    反転搬送経路
Ｒ２１  引き込み経路
Ｒ２２  再給紙経路
ＳＥ    検出部
【図１】
2019020498.tif 000003
【図２】
2019020498.tif 000004
【図３】
2019020498.tif 000005
【図４】
2019020498.tif 000006
【図５】
2019020498.tif 000007
【図６】
2019020498.tif 000008
【図７】
2019020498.tif 000009
【図８】
2019020498.tif 000010
【図９】
2019020498.tif 000011